(57)【特許請求の範囲】
【請求項１】
複数の支柱とこの支柱間に横架されたフレームにより枠組み構造体を構成し、
前記枠組み構造体の上面にキーボード・パーカッション本体を載置して固定するとともに、
該キーボード・パーカッション本体の背面に横架されたフレームに固定したスタンドシャフトに各種のパーカッションを配設したことを特徴とするキーボード・パーカッション。
【請求項２】
枠組み構造体の支脚台にキャスタを設け、キーボード・パーカッション本体と各種のパーカッションを配設した状態で移動可能となるようにしたことを特徴とする請求項１記載のキーボード・パーカッション。
【発明の詳細な説明】
【０００１】
【発明の属する技術分野】
この発明は、例えばドラムやシンバル等の各種のパーカッション（打楽器）を組付け可能にしたキーボード・パーカッションに関し、特に、キーボード・パーカッション本体を一体的に支持してなる枠組み構造体に各種のパーカッションを組付け支持可能にしてなるものである。
【０００２】
【従来の技術】
例えばシロフォン（木琴）やマリンバ、あるいはビブラフォンなどのキーボード・パーカッションは、単体で支脚台に支柱及びフレームを縦横に枠組みした枠組み構造体に支持されているのが現状である。
【０００３】
【発明が解決しようとする課題】
ところが、近年、パーカッションの演奏形態としては、演奏者が一人で多種の音質のものを同時に、あるいは、連続して演奏する場合があり、その際には、キーボード・パーカッションに対して、スタンドに支持されたドラムやシンバル、あるいは、グロッケンシュピール等の他の各種のパーカッションを演奏者のなるべく近くにセッティングする必要があるが、従来では、キーボード・パーカッションの周辺にドラム用スタンドやシンバル用スタンドを個々に位置決めし組合わせ配置しなければならず、このようなセッティングの調整を各演奏会毎に行なわねばならないし、演奏舞台上での作業となることや、セッティングに時間を要し、しかも、微妙な調整作業が面倒である。
【０００４】
しかも、ドラムやシンバル、あるいは、グロッケンシュピール等を支持するスタンドの一つが転倒すると、将棋倒しのように次々と他のスタンドを倒す恐れがあり、これによって、ドラムやシンバル等を破損させる危険性がある。
【０００５】
この発明の目的は、キーボード・パーカッション本体を単一の楽器として支持するだけでなく、多種多様な各種パーカッションを一体的に組付け支持することができるようにしたキーボード・パーカッションを提供することにある。
【０００６】
【課題を解決するための手段】
上記した課題を解決するため、この発明は、複数の支柱とこの支柱間に横架されたフレームにより枠組み構造体を構成し、前記枠組み構造体の上面にキーボード・パーカッション本体を載置して固定するとともに、該キーボード・パーカッション本体の背面に横架されたフレームに固定したスタンドシャフトに各種のパーカッションを配設するようにし、さらに、枠組み構造体の支脚台にキャスタを設け、キーボード・パーカッション本体と各種のパーカッションを配設した状態で移動可能となるようにする。
【０００７】
【発明の実施の形態】
以下、この発明の実施の形態を図面に基づいて詳細に説明すると、図１はこの発明に係るキーボード・パーカッションの全体構成を示すもので、図中１はキーボード・パーカッション本体である。
【０００８】
このキーボード・パーカッション本体１は、枠組み構造体２にて支持されていて、この枠組み構造体２は、移動可能にしたキャスタ付き支脚台３と、この支脚台３上に立設された支柱４と、この支柱４に横架されたフレーム５とで形成されている。
【０００９】
そして、図中６は例えばドラムやシンバル、あるいは、グロッケンシュピールなどの各種のパーカッション７、８をそれぞれ支持するスタンドシャフトで、このスタンドシャフト６は、前記枠組み構造体２の前記キーボード・パーカッション本体１の前方に延出させた支脚台３Ａ上の左右及び中間部に立設された支柱４Ａ間の上部に横架された上下一対のフレーム５Ａ、５Ａの任意の位置に、ジョイント部材１０を介して組付け固定されるようになっているものである。
【００１０】
このジョイント部材１０は、図２及び図３に示すように、前記フレーム５Ａにスライド可能かつ取外し可能に仮掛けされるフック状の固定部１１と、この固定部１１の外側部１１ａに設けたネジ孔１２と、このネジ孔１２に前記固定部１１の外側部１１ａから貫通可能に螺合させる台１の締付け具としての蝶ネジ１３と、前記固定部１１に一体に形成されたスタンド支持部１４と、このスタンド支持部１４に設けた前記各種パーカッション７、８のスタンドシャフト６が挿通可能な挿通孔１５と、この挿通孔１５に対応する前記スタンド支持部１４の外側部１４ａに設けたネジ孔１６と、このネジ孔１６に前記挿通孔１５に向け貫通可能に螺合させる第２の締付け具としての蝶ネジ１７とで構成されている。
【００１１】
すなわち、この発明は、キーボード・パーカッション本体１を枠組み支持する枠組み構造体２の支持台３Ａのフレーム５Ａ、５Ａに、ジョイント部材１０の固定部１１を仮掛けして左右にスライドさせながら位置調整を行なって第１の蝶ネジ１３にて締付け固定した後、このジョイント部材１０のスタンド支持部１４に設けた挿通孔１５に各種パーカッション７、８のスタンドシャフト６を挿通し、このスタンドシャフト６の高さ位置を調整しながら第２の蝶ネジ１７にて締付け保持するようにしているもので、これによって、キーボード・パーカッション本体１と各種パーカッション７、８とのラック化を可能にし、合理的でマルチ的なセッティングが行えるようにしてなるものである。
【００１２】
なお、上記した実施の形態において、前記ジョイント部材１０のスタンド支持部１４に設けた挿通孔１５の内周側面に合成樹脂等からなるクッション材を設けることにより、蝶ネジ１７によるスタンドシャフト６への締付け保持力を向上させることが可能になるとともに、スタンドシャフト６を保護する効果もある。
【００１３】
【発明の効果】
以上の説明から明らかなように、この発明は、キーボード・パーカッション本体を含む複数のパーカッションを、支柱と前記支柱に横架されたフレームからなる枠組み構造体にて支持するようになし、前記フレームにスライド可能にかつ取り外し可能なジョイント部材を仮掛けして締付け固定し、このジョイント部材の固定部と一体構成されたスタンド支持部に、各種パーカッションのスタンドシャフトを垂直方向に挿通可能にして締付け保持するようにしたことから、キーボード・パーカッション本体と各種パーカッションとをラック化させることができる。これにより、各種パーカッションのスタンド支脚が不要となることから、従前のように、個々にスタンディングされた各種パーカッションの転倒を防止することができるとともに、キーボード・パーカッション本体に対する各種パーカッションの位置調整も簡便に行なうことができることから、好みに応じたマルチ的なセッティングを合理的にかつ容易に行なうことができる。
【００１４】
しかも、一旦セッティングした後は、そのまま移動搬送することができ、従前のように、演奏会毎に舞台上でセッティングする必要がないために、キーボード・パーカッション本体に対する各種パーカッションのセッティングミスを防止することができる。
【００１５】
また、請求項２記載の発明では、ジョイント部材を、フレームに第１の締付け具を介して保持される固定部と、各種パーカッションのスタンドシャフトを第２の締付け具を介して締付け保持する挿通孔を有するスタンド支持部とを一体構成したことから、ジョイント部材を支持する枠組み構造体のフレームへの装着及び取外し、そして、取付位置の微調整が容易に可能となる。
【図面の簡単な説明】
【図１】この発明に係るキーボード・パーカッションの全体構成を示す説明図。
【図２】同じくキーボード・パーカッション本体を支持する枠組み構造体への各種パーカッションを組付けるために使用されるジョイント部材の説明図。
【図３】同じくジョイント部材による各種パーカッションのキーボード・パーカッション本体を支持する枠組み構造体のフレームへの取付状態を示す説明図。
【符号の説明】
１・・・・・・キーボード・パーカッション本体
２・・・・・・枠組み構造体
３・３Ａ・・・支脚台
４・４Ａ・・・支柱
５・５Ａ・・・フレーム
６・・・・・・各種パーカッションのスタンドシャフト
７・８・・・・各種パーカッション
１０・・・・・ジョイント部材
１１・・・・・固定部
１２・・・・・ネジ部
１３・・・・・第１の締付け具（蝶ネジ）
１４・・・・・スタンド支持部
１５・・・・・挿通孔
１６・・・・・ネジ孔
１７・・・・・第２の締付け具（蝶ネジ）
【図１】
0003550842.tif 000002
【図２】
0003550842.tif 000003
【図３】
0003550842.tif 000004